(57)【特許請求の範囲】
【請求項１】
撮影光学系が形成した光学像を映像信号に変換する撮像部を収納する本体と、
前記本体を持つ際に把持されるハンドルと、
前記本体の側面に形成されるグリップ部と、
前記映像信号に対応する画像を表示する表示面を有する表示部と、
前記表示部を収納する表示部収納部と、
前記表示部を前記表示部収納部に対して第１の軸を中心として回転するように支持するとともに、前記表示部を前記表示部収納部に対して前記第１の軸に直交する第２の軸を中心として回転するように支持する回転支持部と、を備え、
前記第２の軸は、前記表示部収納部の中心線に対して、前記グリップ部の反対側にオフセットさせて設けられており、
前記表示面と前記表示部収納部とが向かい合うように、前記表示部が前記表示部収納部に収納されている収納状態にて、前記表示部収納部は前記表示部によって覆われ、
前記収納状態から前記第１の軸を中心とする第１の回転方向に前記表示部を回転させ、さらに前記第２の軸を中心に前記表示部を回転させることで、前記表示面が前記撮影光学系の光軸方向後方を向く第１の状態となり、前記第１の状態では、前記表示面の一部が前記表示部収納部よりも前記グリップ部の反対側に位置し、
前記第１の状態にて前記第１の軸周りに前記第１の回転方向と反対となる第２の回転方向に前記表示部を回転させることで、前記表示面を前記表示部収納部とは反対側に向けて前記表示部を前記表示部収納部に収納する第２の状態となり、前記第２の状態では、前記表示面の一部が前記表示部収納部よりも前記グリップ部の反対側に位置し、前記表示面の裏面の一部が前記表示部収納部と重なることを特徴とする撮像装置。
【請求項２】
前記第１の状態にて前記表示部の底面が前記ハンドルの上面よりも上に位置していることを特徴とする請求項１に記載の撮像装置。
【請求項３】
前記表示部収納部に設けられ、情報を入力する際に操作される操作部と、を更に有し、
前記第２の状態にて、前記表示部収納部のうち、前記表示面の裏面と重ならない部分に前記操作部が設けられていることを特徴とする請求項１または２に記載の撮像装置。
【発明の詳細な説明】
【技術分野】
【０００１】
本発明は、撮像装置に関する。
【背景技術】
【０００２】
特許文献１は、本体上に取手を設け、レンズ装置上の取手の先に操作ボタン群を備えた台座を設け、台座の側部に回転支持部を設け、回転支持部を介して台座の上に折り畳みおよび展開が可能な表示部を設けたビデオカメラを開示している。回転支持部は２つの軸の各軸の周りに表示部を回転可能に支持している。
【先行技術文献】
【特許文献】
【０００３】
【特許文献１】特開２００５−２１０６７７号公報
【発明の概要】
【発明が解決しようとする課題】
【０００４】
しかしながら、特許文献１の表示部は、収納状態から１８０度回転されて展開されると横幅がかなり大きくなる。
【０００５】
そこで、本発明は、小型の撮像装置を提供することを例示的な目的とする。
【課題を解決するための手段】
【０００６】
本発明の撮像装置は、撮影光学系が形成した光学像を映像信号に変換する撮像部を収納する本体と、前記本体を持つ際に把持されるハンドルと、前記本体の側面に形成されるグリップ部と、前記映像信号に対応する画像を表示する表示面を有する表示部と、前記表示部を収納する表示部収納部と、前記表示部を前記表示部収納部に対して第１の軸を中心として回転するように支持するとともに、前記表示部を前記表示部収納部に対して前記第１の軸に直交する第２の軸を中心として回転するように支持する回転支持部と、を備え、前記第２の軸は、前記表示部収納部の中心線に対して、前記グリップ部の反対側にオフセットさせて設けられており、前記表示面と前記表示部収納部とが向かい合うように、前記表示部が前記表示部収納部に収納されている収納状態にて、前記表示部収納部は前記表示部によって覆われ、前記収納状態から前記第１の軸を中心とする第１の回転方向に前記表示部を回転させ、さらに前記第２の軸を中心に前記表示部を回転させることで、前記表示面が前記撮影光学系の光軸方向後方を向く第１の状態となり、前記第１の状態では、前記表示面の一部が前記表示部収納部よりも前記グリップ部の反対側に位置し、前記第１の状態にて前記第１の軸周りに前記第１の回転方向と反対となる第２の回転方向に前記表示部を回転させることで、前記表示面を前記表示部収納部とは反対側に向けて前記表示部を前記表示部収納部に収納する第２の状態となり、前記第２の状態では、前記表示面の一部が前記表示部収納部よりも前記グリップ部の反対側に位置し、前記表示面の裏面の一部が前記表示部収納部と重なることを特徴とする。
【発明の効果】
【０００７】
本発明によれば、使い勝手の良い撮像装置を提供することができる。
【図面の簡単な説明】
【０００８】
【図１】撮像装置の後側の斜視図である。
【図２】撮像装置の前側の斜視図である。
【図３】図１に示す撮像装置の側面図である。
【図４】図１に示す撮像装置の上面図である。
【図５】図１に示す状態からパネルが９０度展開した状態を示す撮像装置の斜視図である。
【図６】図５に示す状態からパネルが１８０度外側に回転した状態を示す撮像装置の斜視図である。
【図７】図６に示す状態からパネルが９０度前方に回転して折り畳まれた状態を示す撮像装置の斜視図である。
【図８】図７に示す撮像装置の上面図である。
【図９】図５に示す状態からパネルが９０度時計回りに回転した状態を示す撮像装置の斜視図である。
【図１０】図９に示す撮像装置の上面図である。
【発明を実施するための形態】
【０００９】
図１は本実施例の撮像装置（ビデオカメラ）１００の後側の斜視図、図２は撮像装置１００の前側の斜視図である。撮像装置１００は撮影と同時に記録も行える撮像装置（ビデオカメラ）であるが、本実施例は記録装置に接続して使用するその他の撮像装置にも適用可能である。
【００１０】
撮像装置１００は、被写体の光学像を形成する撮影光学系を収納するレンズユニット１０と、撮影光学系が形成した光学像を映像信号に変換する撮像部を収納する撮像部収納部としての本体１２と、を有する。なお、撮像装置１００はレンズユニット１０が本体１２に一体の撮像装置であるが、本実施例はレンズユニットが本体に交換可能に構成された撮像装置にも適用可能である。また、本体１２の後部には、撮像装置１００の各部に電源を供給するバッテリーを収納するバッテリー収納部１３が設けられている。本体１２の右側面にはグリップ部１４が形成されている。
【００１１】
本体１２にはレンズユニット１０の光軸方向とほぼ平行に延びるハンドル２０が設けられている。ハンドル２０は、本体１２に所定の間隔をあけて前脚部２１と後脚部２２を介して固定されている。ハンドル２０は、ユーザ（撮影者）が本体１２を持つ際に把持される把持部（取手）として機能する。
【００１２】
ハンドル２０の先端部分にはマイクロフォン２５が設けられ、マイクロフォン２５の後ろには扁平な長方形形状を有する表示部収納部２６が設けられている。表示部収納部２６はレンズユニット１０の上部に配置され、ハンドル２０に固定されている。表示部収納部２６は表示部４０を収納する。
【００１３】
表示部収納部２６は、情報を入力する際に操作される操作ボタン群を有する操作部２７を有すると共に、表示部収納部２６の上には、映像信号に対応する画像を表示する画面としての表示面４１を一面に備えた表示部４０が設けられている。このように、本実施例では、表示部４０は表示部収納部２６の上側に配置される。
【００１４】
表示部４０は、本実施例では液晶パネルである。図１に示すように、表示面４１が下に向いて表示部収納部２６によって覆われている状態が収納状態である。表示部４０は、回転支持部によってハンドル２０に２つの軸（後述する軸ａ及び軸ｂ）のそれぞれの周りに回転可能に支持されている。回転支持部も表示部収納部２６の上側に配置され、本実施例では、表示部収納部２６がハンドル２０に固定されている固定部の近傍に設けられている。
【００１５】
図３は、収納状態の撮像装置１００の側面図で、図４は収納状態の撮像装置１００の上面図である。図４において、表示部収納部２６と表示部４０の投影形状は略同一形状である。
【００１６】
図４に示すように、表示部４０は光軸方向の辺の長さがそれに直交する方向の辺の長さよりも短い長方形形状を有する。回転支持部として、表示部４０のバッテリー側の一側面に図示しないヒンジが設けられている。ヒンジは二つの軸を中心にして回転が可能である。２つの軸を中心にして回転可能なヒンジ機構は特許文献１などで周知であるので、詳しい説明を省略する。
【００１７】
上述したように、回転支持部は表示部４０を２つの軸のそれぞれの周りに回転可能に支持している。
【００１８】
第１の軸は、図１、図３及び図４に示す軸ａである。軸ａは、水平面内でレンズユニット１０に収納された撮影光学系の光軸方向と平行な方向と直交する方向に延びており、図３に示すように表示部４０の厚み方向の略中心位置に開閉可能に配置されている。また、軸ａは、図４に示すように、表示部４０の後方側の辺に接続されている。軸ａの周りに表示部４０が回転することによってチルト角度が変更可能となる。図１において、「ＣＡ」は、撮影光学系の光軸を通って軸ａに垂直な平面を示している。
【００１９】
第２の軸は、図１、図３及び図４に示す軸ｂである。軸ｂは、軸ａに直交し、図４に示すように、表示部４０が閉じている状態ではレンズユニット１０の光軸方向に略平行となる。なお、軸ｂは、表示部４０の厚みの略中心に位置している。
【００２０】
また、軸ｂはハンドル２０の撮影光学系の光軸と平行な中心線に対して、グリップ部１４とは反対側にオフセットさせている。つまり、本体１２の端面１２ａと撮影光学系の光軸を通って軸ａに垂直な平面ＣＡ（図１）の間に位置している。本体１２の端面１２ａは、軸ａに直交する本体１２の側面であって平面ＣＡに関して軸ｂがある側の側面である。本実施例では、本体１２の端面１２ａは平面ＣＡと平行である。本実施例では、軸ｂは、表示部収納部２６の端面２６ａと平面ＣＡとの間にも位置する。表示部収納部２６の端面２６ａは、軸ａに直交する表示部収納部２６の側面であって平面ＣＡに関して軸ｂがある側の側面である。本実施例では、表示部収納部２６の端面２６ａは平面ＣＡと平行である。
【００２１】
従来は、軸ｂは表示部収納部の端面に設けられていたため、表示部を展開した場合に横幅方向の突出量が大きかったが、本実施例は軸ｂを端面１２ａと平面ＣＡとの間に配置して表示部４０が軸ｂ周りに回転したときの突出量を小さくしている。
【００２２】
更に、図３に示すように、軸ｂはハンドル２０の上面２０ａと同一面かもしくは同一面よりも上に位置している。これによって、表示部４０の底面をハンドル２０の上面２０ａよりも上側に配置することができる。
【００２３】
図５は、収納状態から軸ａを中心に表示部４０が９０度展開した状態を示す撮像装置１００の後側の斜視図である。図６は、図５に示す状態から軸ｂの周りに表示部４０が１８０度回転した状態を示す撮像装置１００の斜視図である。
【００２４】
表示部４０が図５に示す状態から図６に示す状態に１８０度回転することで表示部４０は正面から外側に（ハンドル２０の上側から外れる）ので撮影者は被写体を肉眼で観察しつつ、表示部４０の映像も同時に確認することができる。
【００２５】
また、図６に示す通常撮影状態において、表示部４０に後方もしくは前方に意図しない力がかかっても表示部４０は軸ｂを中心に回動可能なので回転支持部を壊す心配がなく、信頼性に優れている。
【００２６】
図７は、図６に示す状態から軸ａを中心に表示部４０を９０度前方に倒した状態を示す斜視図である。図８は図７に示す撮像装置１００の上面図であり、表示部４０の表示面４１を表示部収納部２６とは反対側に向けて表示部４０を表示部収納部２６に収納した状態を示している。このように、表示部４０の表示面４１を上にして表示部収納部２６に収納することが可能である。
【００２７】
軸ｂが撮像装置１００の本体１２の端面１２ａと光軸を通って軸ａに垂直な平面ＣＡとの間に位置しているのでレンズ光軸から表示部４０の左側面４３までの距離Ｌを小さくすることができる。特に、表示部４０が、ＨＤＴＶ（ＨｉｇｈＤｅｆｉｎｉｔｉｏｎ Ｔｅｌｅｖｉｓｉｏｎ）の１６：９のアスペクト比を実現可能な場合に横幅方向の突出量を小さくすることができる。
【００２８】
また、図８の状態で表示部収納部２６の一部が露出しており、この露出した部分に操作部２７が設けられているため、撮影者は狭い環境下においても表示部４０を開いて操作部２７を操作して記録した画像を検索したり編集したりすることができる。また、図１に示すような収納状態においては表示部４０によって操作部２７が覆われて雨やゴミから保護される。
【００２９】
図９は、図５に示す状態から軸ｂを中心に表示部４０を９０度回転した状態を示す斜視図である。図１０は図９の上面図である。従来は、表示部の表示面を取手越しに見ようとして表示部の姿勢を調節しても表示部の画面の一部が取手で隠れてしまい視認性が低かった。
【００３０】
これに対して、本実施例では、図９及び図１０に示すように、表示部４０の下面４２がハンドル２０の上面２０ａよりも上に位置することでハンドル越しに表示部４０の表示面４１を見る場合の視認性が向上している。例えば、図１０に示すように、撮像装置本体を壁に隣接配置して撮影するときに撮影者が本体の右側に立って表示部４０を見ることができる。
【００３１】
以上、本発明の好ましい実施例について説明したが、本発明はこれらの実施例に限定されず、その要旨の範囲内で種々の変形及び変更が可能である。
【産業上の利用可能性】
【００３２】
撮像装置は被写体を撮像する用途に適用することができる。
【符号の説明】
【００３３】
１２                  本体
１２ａ                端面
２０                  ハンドル
２０ａ                上面
２６                  表示部収納部
２７                  操作部
４０                  表示部
４１                  表示面
１００                撮像装置
ＣＡ                  平面
ａ                    軸（第１の軸）
ｂ                    軸（第２の軸）
【図１】
0005602570.tif 000002
【図２】
0005602570.tif 000003
【図３】
0005602570.tif 000004
【図４】
0005602570.tif 000005
【図５】
0005602570.tif 000006
【図６】
0005602570.tif 000007
【図７】
0005602570.tif 000008
【図８】
0005602570.tif 000009
【図９】
0005602570.tif 000010
【図１０】
0005602570.tif 000011